(57)【特許請求の範囲】
【請求項１】
圧縮機および室外熱交換器ならびに絞りを有する室外機と、室内熱交換器および室内送風機を有する室内機と、を有する空気調和機であって、
運転時の前記室内機の能力を算出する能力算出手段と、
前記能力算出手段により算出する前記室内機の能力を所定時間ごとに継続して取得し各時間ごとに前記室内機の効率を算出する効率算出手段と、
前記能力算出手段により算出する前記室内機の能力および前記効率算出手段により算出する前記室内機の効率を、予め設定した基準能力および基準効率と比較してそれぞれの算出結果を判定する算出結果判定手段と、
前記算出結果判定手段による判定を表示部に表示させる表示手段と、
算出された能力および効率の安定度を判定する安定度判定手段と、
を備え、
前記表示手段は、安定度が前記安定度判定手段により低いと判定された場合に前記表示部に起動中と表示させ、安定度が前記安定度判定手段により高いと判定された場合に前記表示部に判定中と表示させ、安定度が前記安定度判定手段により高いと判定されて当該高い安定度が所定回数継続した場合に前記表示部に運転状態の判定結果を表示させることを特徴とする空気調和機。
【請求項２】
前記表示手段は、前記室内機の効率を改善する提案事項を前記表示部に表示させることを特徴とする請求項１に記載の空気調和機。
【請求項３】
前記表示手段は、効率を改善した場合の効果を前記表示部に表示させることを特徴とする請求項２に記載の空気調和機。
【請求項４】
前記表示手段は、能力が低い要因となる事項を前記表示部に表示させることを特徴とする請求項１〜３のいずれか１つに記載の空気調和機。
【請求項５】
前記表示手段は、効率が低い要因となる事項を前記表示部に表示させることを特徴とする請求項１〜４のいずれか１つに記載の空気調和機。
【請求項６】
算出された能力および効率の安定度を判定する安定度判定手段を備え、前記安定度判定手段は、前記圧縮機の回転数に基づいて前記室内機の安定度を判定し、前記表示手段は、前記安定度判定手段により判定された安定度を前記表示部に表示させることを特徴とする請求項１〜５のいずれか１つに記載の空気調和機。
【請求項７】
前記室内機における吹出部に吹出空気温度を検出する吹出温度検出器が設けられており、安定度判定手段は、前記圧縮機の回転数および前記吹出温度検出器により検出する吹出空気温度に基づいて前記室内機の安定度を判定することを特徴とする請求項６に記載の空気調和機。
【請求項８】
前記表示部が空気調和機の操作を行うリモートコントローラに設けられていることを特徴とする請求項１〜７のいずれか１つに記載の空気調和機。
【発明の詳細な説明】
【技術分野】
【０００１】
本発明は、空気調和機に関するものである。
【背景技術】
【０００２】
従来、例えば、特許文献１に記載の空気調和機は、冷暖房能力を簡便に測定することを目的とし、空気調和機本体に内蔵されて吸込空気温度、吸込空気相対湿度、吹出空気温度、吹出空気相対湿度、およびファン回転数をそれぞれ検出する検出素子と、これら検出素子により検出された各データから所定の式に基づいて冷暖房能力を算出する演算部と、この演算部にて算出された冷暖房能力を表示する表示部と、を備えることが開示されている。
【先行技術文献】
【特許文献】
【０００３】
【特許文献１】実開昭６１−１９４１３８号公報
【発明の概要】
【発明が解決しようとする課題】
【０００４】
空気調和機の能力は、運転条件により刻々と変わる。このため、算出した能力が正常であるかを判定することは難しく、運転状態の確認の信頼性が低い。
【０００５】
本発明は上述した課題を解決するものであり、運転状態の確認の信頼性を向上することのできる空気調和機を提供することを目的とする。
【課題を解決するための手段】
【０００６】
上述の目的を達成するために、本発明の空気調和機は、圧縮機および室外熱交換器ならびに絞りを有する室外機と、室内熱交換器および室内送風機を有する室内機と、を有する空気調和機であって、運転時の前記室内機の能力を算出する能力算出手段と、前記能力算出手段により算出する前記室内機の能力を所定時間ごとに継続して取得し各時間ごとに前記室内機の効率を算出する効率算出手段と、前記能力算出手段により算出する前記室内機の能力および前記効率算出手段により算出する前記室内機の効率を、予め設定した基準能力および基準効率と比較してそれぞれの算出結果を判定する算出結果判定手段と、前記算出結果判定手段による判定を表示部に表示させる表示手段と、を備えることを特徴とする。
【０００７】
この空気調和機によれば、算出した能力や効率が正常であるかを判定し、運転状態の確認の信頼性を向上することができる。
【０００８】
また、本発明の空気調和機では、算出された能力および効率の安定度を判定する安定度判定手段をさらに備え、前記表示手段は、安定度が前記安定度判定手段により低いと判定された場合に前記表示部に起動中と表示させ、安定度が前記安定度判定手段により高いと判定された場合に前記表示部に判定中と表示させ、安定度が前記安定度判定手段により高いと判定されて当該高い安定度が所定回数継続した場合に前記表示部に運転状態の判定結果を表示させることを特徴とする。
【０００９】
この空気調和機によれば、運転状態が判定されるまでの過程、および運転状態の判定結果を表示部の表示により確認することができる。
【００１０】
また、本発明の空気調和機では、前記表示手段は、能力が低い要因となる事項を前記表示部に表示させることを特徴とする。
【００１１】
この空気調和機によれば、能力が低い事態を改善する策を講じることができる。
【００１２】
また、本発明の空気調和機では、前記表示手段は、効率が低い要因となる事項を前記表示部に表示させることを特徴とする。
【００１３】
この空気調和機によれば、効率が低い事態を改善する策を講じることができる。
【００１４】
また、本発明の空気調和機では、前記安定度判定手段は、前記圧縮機の回転数に基づいて前記室内機の安定度をさらに判定し、前記表示手段は、前記安定度判定手段により判定された安定度を前記表示部に表示させることを特徴とする。
【００１５】
この空気調和機によれば、測定値の安定度を表示部の表示により確認することができる。
【００１６】
また、本発明の空気調和機では、前記室内機における吹出部に吹出空気温度を検出する吹出温度検出器が設けられており、安定度判定手段は、前記圧縮機の回転数および前記吹出温度検出器により検出する吹出空気温度に基づいて前記室内機の安定度を判定することを特徴とする。
【００１７】
この空気調和機によれば、安定度の判定精度を向上することができる。
【００１８】
また、本発明の空気調和機では、前記表示手段は、前記室内機の効率を改善する提案事項を前記表示部に表示させることを特徴とする。
【００１９】
この空気調和機によれば、効率の改善策をオペレータに提案することができる。
【００２０】
また、本発明の空気調和機では、前記表示手段は、効率を改善した場合の効果を前記表示部に表示させることを特徴とする。
【００２１】
この空気調和機によれば、効率の改善策をオペレータに提案する場合、効率を改善した場合の効果を提示することができる。
【００２２】
また、本発明の空気調和機では、前記表示部が空気調和機の操作を行うリモートコントローラに設けられていることを特徴とする。
【００２３】
この空気調和機によれば、リモートコントローラは、オペレータが空気調和機の操作を行う際に手で持っているものであるため、このリモートコントローラに表示部が設けられていれば、表示を確認しやすくすることができる。
【発明の効果】
【００２４】
本発明によれば、算出した能力や効率が正常であるかを判定し、運転状態の確認の信頼性を向上することができる。
【図面の簡単な説明】
【００２５】
【図１】図１は、本発明の実施形態に係る空気調和機の概略構成図である。
【図２】図２は、本発明の実施形態に係る空気調和機の効率改善提案のマップを示す図表である。
【図３】図３は、本発明の実施形態に係る空気調和機の効率改善提案のマップを示す図表である。
【図４】図４は、本発明の実施形態に係る空気調和機の効率改善提案のマップを示す図表である。
【図５】図５は、本発明の実施形態に係る空気調和機の動作を示すフローチャートである。
【図６】図６は、本発明の実施形態に係る空気調和機の動作を示すフローチャートである。
【発明を実施するための形態】
【００２６】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２７】
図１は、本実施形態に係る空気調和機の概略構成図である。また、図２〜図４は、本実施形態に係る空気調和機の効率改善提案のマップを示す図表である。
【００２８】
図１に示すように、空気調和機は、室外機１と、室内機２と、制御部３と、を有する。
【００２９】
室外機１は、ケーシング内に設けられた圧縮機４、四方切換弁５、室外熱交換器６、室外送風機７から構成される。また、室外機１は、冷媒配管８、絞り９が配設され、冷媒配管８に四方切換弁５、室外熱交換器６、絞り９が介在されている。また、室外機１は、冷媒配管１０が配設され、冷媒配管１０に圧縮機４、四方切換弁５が介在されている。
【００３０】
室内機２は、ケーシング内に設けられた室内熱交換器１５、室内送風機１６から構成される。また、室内機２は、冷媒配管１７が配設され、冷媒配管１７に室内熱交換機１５が介在されている。また、室外機１の冷媒配管８と室内機２の冷媒配管１７とは相互に接続され、循環回路が構成されている。
【００３１】
制御部３は、例えば、中央演算装置（ＣＰＵ：Central  Processing  Unit）であり、室外機１および室内機２を統括して制御するものである。具体的に、制御部３は、圧縮機４に接続されて圧縮機４の回転数を制御したり、四方切換弁５に接続されて四方切換弁５の切り換えを制御したり、室外送風機７のモータ７ａに接続されて室外送風機７の回転数を制御したり、室内送風機１６のモータ１６ａに接続されて室内送風機１６の回転数を制御したりする。また、制御部３は、無線または有線で接続されたリモートコントローラ１８が接続されており、リモートコントローラ１８による操作に従って室外機１および室内機２を制御する。
【００３２】
すなわち、制御部３は、リモートコントローラ１８により冷房運転の操作があった場合、四方切換弁５を切り換える。そして、図１に示される実線の矢印で示すように、圧縮機４で圧縮されたガス冷媒は、四方切換弁５を経て冷媒配管８を通過して室外熱交換器６に入り、この室外熱交換器６にて室外送風機７により送られる外気に放熱することで凝縮して液冷媒となる。この液冷媒は、冷媒配管８を通過して絞り９で絞られることにより断熱膨張した後、冷媒配管８から冷媒配管１７を通過して室内熱交換器１５に入り、この室内熱交換器１５にて室内送風機１６により送られる室内空気を冷却することで蒸発してガス冷媒となる。この結果、室内の気温が低下する。その後、ガス冷媒は、冷媒配管１７から冷媒配管８を通過して四方切換弁５を経てから冷媒配管１０を通過し圧縮機４に吸入される。
【００３３】
一方、制御部３は、リモートコントローラ１８により暖房運転の操作があった場合、四方切換弁５を冷房運転とは逆に切り換える。そして、図１に示される破線の矢印で示すように、圧縮機４で圧縮されたガス冷媒は、冷媒配管１０を通過して四方切換弁５を経て、冷媒配管８から冷媒配管１７を通過して室内熱交換器１５に入り、その後に冷媒配管１７から冷媒配管８を通過して絞り９、室外熱交換器６、四方切換弁５の順を経て圧縮機４に戻る。そして、室内熱交換器１５にてガス冷媒が室内送風機１６により送られる室内空気に放熱して凝縮する過程で室内空気が加熱される。この結果、室内の気温が上昇する。
【００３４】
本実施形態において、制御部３は、室内機２に設けられた吸込湿度検出器２１、吸込温度検出器２２、吹出温度検出器２３、冷媒飽和温度検出器２４が接続されている。また、制御部３は、室外機１に設けられた電流検出器２５が接続されている。さらに、制御部３は、室外（室外機１のケーシング外側）に設けられた外気温度検出器２６が接続されている。
【００３５】
吸込湿度検出器２１は、室内機２において室内送風機１６によりケーシング内に吸い込まれる室内空気の湿度を検出する。吸込温度検出器２２は、室内機２において室内送風機１６によりケーシング内に吸い込まれる室内空気の温度を検出する。吹出温度検出器２３は、室内機２において室内送風機１６により送られて室内熱交換器１５を経た空気の温度を検出する。冷媒飽和温度検出器２４は、室内熱交換器１５における冷媒の飽和温度を検出する温度センサである。電流検出器２５は、室外機１において消費された電流を検出する。外気温度検出器２６は、外気温度を検出する。これらの検出器の検出結果は、制御部３にて取得される。
【００３６】
また、制御部３は、能力算出手段３１、効率算出手段３２、算出結果判定手段３３、運転判定手段３４、安定度判定手段３５、表示手段３６を有する。これらの手段は、例えば、ハードディスク装置または半導体記憶デバイスである図示しない記憶部にプログラムとして記憶されている。
【００３７】
能力算出手段３１は、運転時の室内機２の能力（冷房運転能力や暖房運転能力）を算出する。具体的に、能力算出手段３１は、吸込温度検出器２２、吸込湿度検出機２１、および吹出温度検出機２３による検出結果から計算されたエンタルピ差と、制御部３に記憶されている室内機の風量から、下の式（１）により運転時の室内機２の能力を算出する。
Ｑ＝Ｇ（Ｈｂ−Ｈａ）・・・（１）
ここで、Ｑ：室内機の能力、Ｇ：送風運転時の重量流量、Ｈａ：吸込空気のエンタルピ、Ｈｂ：吹出空気のエンタルピ。
【００３８】
効率算出手段３２は、運転時の室内機２の効率（冷房運転効率や暖房運転効率）を算出する。具体的に、効率算出手段３２は、能力算出手段３１により算出した能力を、電流検出器２５により検出された消費電力で割ることで、運転時の室内機２の効率を算出する。
【００３９】
算出結果判定手段３３は、能力算出手段３１により算出する能力、および効率算出手段３２により算出する効率を判定する。具体的に、算出結果判定手段３３は、基準能力および基準効率が予め設定されている。基準能力は、能力算出手段３１により能力を算出する際と同条件化における本来の能力である。基準効率は、効率算出手段３２により効率を算出する際と同条件化における本来の効率である。そして、算出結果判定手段３３は、能力算出手段３１により算出する能力を基準能力と比較して判定する。また、算出結果判定手段３３は、効率算出手段３２により算出する効率を基準効率と比較して判定する。例えば、基準能力に対して算出した能力が８０％以上であって基準効率に対して算出した効率が７５％以上であれば能力および効率の算出結果が正常と判定する。また、基準能力に対して算出した能力が８０％未満であって基準効率に対して算出した効率が７５％以上であれば能力の算出結果が能力不足と判定する。また、基準能力に対して算出した能力が８０％以上であって基準効率に対して算出した効率が７５％未満であれば効率の算出結果が効率不足と判定する。
【００４０】
安定度判定手段３５は、圧縮機４の回転数、または圧縮機４の回転数および吹出温度検出器２３により検出する吹出空気温度に基づいて室内機２の安定度を判定する。安定度判定手段３５は、室内機２の安定度を判定する。室内機２の能力および効率は、圧縮機４の回転数により大きな影響を受けるため、圧縮機４の回転数に基づいて安定度が判定できる。また、吹出温度検出器２３がある場合は、圧縮機４の回転数および吹出温度検出器２３により検出する吹出空気温度に基づいて室内機２の安定度を判定する。具体的に、安定度判定手段３５は、５分間ごとの圧縮機４の回転数を取得し、前回をＡ１、今回をＡ２とした場合に、（Ａ２−Ａ１）／Ａ１の絶対値を算出する。そして、例えば、この算出結果が２０％以下であれば安定度「高」と判定し、２１％以上５０％以下であれば安定度「通常」と判定し、５１％以上であれば安定度「低」と判定する。また、安定度判定手段３５は、５分間ごとの吹出温度検出器２３による吹出空気温度を取得し、前回をＢ１、今回をＢ２とした場合に、（Ｂ２−Ｂ１）の絶対値を算出する。そして、この算出結果が１℃以下であれば安定度「高」と判定し、１℃以上２℃以下であれば安定度「通常」と判定し、３℃以上であれば安定度「低」と判定する。そして、安定度判定手段３５は、圧縮機４の回転数および吹出温度検出器２３により検出する吹出空気温度に基づき、いずれかの安定度が低ければ安定度「低」と判定し、安定度「低」がなくいずれかの安定度が通常であれば「通常」と判定し、双方とも安定度が高ければ安定度「高」と判定する。
【００４１】
運転判定手段３４は、安定度判定手段３５による判定に基づき、測定値の変動が一定時間、一定の幅内に収まり、空気調和機の運転が安定したかを判定する。具体的には、安定度判定手段３５により安定度が高いと判定され、当該判定が所定回数継続した場合に安定運転とする。例えば、安定度判定手段３５による判定を５分間ごとに判定し、３回以上能力および効率の安定度が高いと判定された場合に安定運転と判定する。
【００４２】
表示手段３６は、表示部３８に対して各種の表示を行う。本実施形態において、表示部３８は、リモートコントローラ１８に設けられているが、例えば、室内機２などリモートコントローラ１８以外に設けられていてもよい。
【００４３】
表示手段３６は、算出結果判定手段３３により判定された算出結果を表示する。また、表示手段３６は、算出した能力および効率の安定度が安定度判定手段３５により低いと判定された場合に表示部３８に「起動中」と表示させ、算出した能力および効率の安定度が安定度判定手段３５により高いと判定された場合に表示部３８に「判定中」と表示させ、算出した能力および効率の安定度が安定度判定手段３５により高いと判定されて、運転判定手段３４の判定において当該高い安定度が所定回数継続した場合に表示部３８に「安定運転」と判断し運転状態の判定結果を表示させる。
【００４４】
また、表示手段３６は、運転判定手段３４により安定運転と判定された場合に、安定運転での室内機２の能力および効率を表示部３８に表示させる。なお、表示手段３６は、運転判定手段３４により起動中や判定中と判定された場合であっても、室内機２の能力および効率を表示部３８に表示させてもよい。
【００４５】
また、表示手段３６は、安定運転での室内機２の能力が予め設定した能力よりも低い場合、能力が低い要因となる事項を表示部３８に表示させる。能力が低い要因となる事項は、例えば、「（１）室内機、室外機間の配管長は長くありませんか？（２）室内機、室外機間の配管の断熱は十分ですか？（３）室内機、室外機の吸込口や吹出口はふさがれていませんか？（４）冷媒量は十分ですか？」がある。
【００４６】
また、表示手段３６は、安定運転での室内機２の効率が予め設定した効率よりも低い場合、効率が低い要因となる事項を表示部３８に表示させる。効率が低い要因となる事項は、例えば「（１）冷媒量は適正ですか？（２）運転点は適正ですか？」がある。
【００４７】
また、表示手段３６は、安定度判定手段３５により判定された安定度を表示部３８に表示させる。安定度の表示は、例えば、上述したように、「高」、「通常」、「低」がある。また、安定度が変動する場合、その度合いに応じて安定している場合に「高」、徐々に変動する場合に「通常」、激しく変動する場合に「低」と表示させる。
【００４８】
また、表示手段３６は、安定運転での室内機２の効率を改善する提案事項を表示部３８に表示させる。具体的に、改善提案は、室内送風機１６の風量（モータ１６ａの回転数）を変えることがある。この場合、図２に示す室内送風機１６の風量と圧縮機４の回転数との関係マップに基づき改善度が求められる。従って、表示手段３６は、提案事項とともに改善度も表示部３８に表示できる。また、改善提案は、設定温度を変えることがある。設定温度を変えると必要能力が変わり消費電力が低減し、効率が改善される。この場合、図３に示す設定温度と外気温度に対する負荷の関係マップから、例えば、外気温度が２８℃であれば、設定温度を２５℃から２６℃とすることで負荷が５．７ｋｗから５．１ｋｗとなる。そのとき、図４に示す設定温度と外気温度に対する圧縮機４の回転数の関係マップから、圧縮機４の回転数が５９ｒｐｓから５１ｒｐｓとなる。そして、圧縮機４の回転数が変わった場合の効率の改善度が求められる。圧縮機４の回転数と効率との関係により、効率の改善度が求められる。これらの結果により、設定温度を変更した場合の能力および効率が求められる。従って、表示手段３６は、提案事項とともに改善度や能力および効率も表示部３８に表示できる。また、改善提案は、窓を開けることがある。冷房時に、外気温度が十分に低い場合、外気導入により室温を低下することを推奨する。この場合、表示手段３６は、例えば、室内温度が外気温度よりも５℃低い場合、空気調和機を停止させることで削減できる電力量（現在の消費電力量）を表示部３８に表示させる。
【００４９】
また、表示手段３６は、提案事項に応じて効率を改善した場合の効果を表示部３８に表示させる。例えば、現在の効率のままの場合は「現在の効率：３．０」と表示させ、効率が低い要因となる事項を改善するように設定を変更（例えば、図示しない省エネ運転の１を選択）した場合は「省エネ運転１：４．０」と表示させ、設定を変更した場合の消費電力の減少率「消費電力の減少率：７５％」と表示させ、設定を変更して１０時間運転した場合の電気代の削減率「電気代削減率：約２３０円」と表示させる。
【００５０】
以下、上述した空気調和機の動作を説明する。図５および図６は、本実施形態に係る空気調和機の動作を示すフローチャートである。
【００５１】
図５に示すように、空気調和機を所望とする冷房運転または暖房運転にて運転させる（ステップＳ１）。ステップＳ１の後、室内機２の所定時間（例えば５分間）の能力を算出し（ステップＳ２）、室内機２の同時間の効率を算出する（ステップＳ３）。ここで、ステップＳ２は、室内機の能力を算出するのではなく、吹出空気温度センサがある場合、吹出空気温度の変化率を算出するものとしても良く、ステップＳ３は、圧縮機回転数の変化率を算出するものとしても良い。
【００５２】
ステップＳ３の後、算出した能力および効率（または、吹出空気温度および圧縮機回転数）の安定度を安定度判定手段３５により判定する（ステップＳ４）。なお、ステップＳ４において判定した安定度を「高」、「普通」、「低」と表示部３８に表示する。この安定度の判定において、安定度が低い場合（ステップＳ５：Ｎｏ）、表示部３８に「起動中」を表示し（ステップＳ６）、ステップＳ２に戻る。一方、ステップＳ４の安定度の判定において、安定度が高い場合（ステップＳ５：Ｙｅｓ）、運転判定手段３４の判定にて、これが所定回数継続していなければ（ステップＳ７：Ｎｏ）、現回数ｎに１を足し（ステップＳ８）、表示部３８に「判定中」を表示し（ステップＳ９）、ステップＳ２に戻る。また、ステップＳ８において、運転判定手段３４の判定にて、高い安定度が所定回数継続していれば（ステップＳ７：Ｙｅｓ）、安定運転と判定し（ステップＳ１０）、図６に示す能力および効率の算出結果判定フローに移行する。
【００５３】
安定運転において、図６の算出結果判定フローに示すように、上述したステップＳ２，Ｓ３と同様に室内機２の能力を算出し（ステップＳ２１）、室内機２の効率を算出する（ステップＳ２２）。なお、ここでの能力および効率は、上述したステップＳ１０において安定運転として判定された場合に、ステップＳ２，Ｓ３で、室内機の能力算出および室内機の効率算出を行う場合、ここで算出されたものであってもよく、上述したステップＳ１０において安定運転として判定された後に新たに算出したものであってもよい。
【００５４】
そして、算出結果判定手段３３により、算出結果を判定する（ステップＳ２３）。このステップＳ２３の判定結果が正常である場合（ステップＳ２４：Ｙｅｓ）、運転状態の判定結果として、表示部３８に「安定運転」および「正常」を表示し（ステップＳ２５）、かつ算出した能力および効率を表示する（ステップＳ２６）。また、算出結果判定手段３３にて判定のために途中算出される、能力および効率の測定値の、基準効率に対する割合についても、表示部３８に表示するものとしても良い。その後、能力や効率の改善提案および改善効果を表示する（ステップＳ２７）。一方、ステップＳ２３の判定結果が正常ではなく能力不足または効率不足である場合（ステップＳ２４：Ｎｏ）、表示部３８に「安定運転」および「能力不足」や「効率不足」を表示し（ステップＳ２８）、さらに能力不足や効率不足の要因を表示し（ステッＳ２９）、かつ算出した能力および効率を表示する（ステップＳ３０）。
【００５５】
このように、本実施形態の空気調和機は、圧縮機４および室外熱交換器６ならびに絞り９を有する室外機１と、室内熱交換器１５および室内送風機１６を有する室内機２と、を有する空気調和機であって、運転時の室内機２の能力を算出する能力算出手段３１と、能力算出手段３１により算出する室内機２の能力を所定時間ごとに継続して取得し各時間ごとに室内機２の効率を算出する効率算出手段３２と、能力算出手段３１により算出する室内機２の能力および効率算出手段３２により算出する室内機２の効率を、予め設定した基準能力および基準効率と比較してそれぞれの算出結果を判定する算出結果判定手段３３と、算出結果判定手段３３による判定を表示部２８に表示させる表示手段３６と、を備える。
【００５６】
この空気調和機によれば、算出した能力や効率が正常であるかを判定し、運転状態の確認の信頼性を向上することができる。なお、動作（図５に示す動作）は、空気調和機の試運転時に行うものとしても良く、試運転時に能力および効率を具体的に確認することができる。
【００５７】
また、本実施形態の空気調和機では、算出された能力および効率の安定度を判定する安定度判定手段３５をさらに備え、表示手段３６は、安定度が安定度判定手段３５により低いと判定された場合に表示部３８に起動中と表示させ、安定度が安定度判定手段３５により高いと判定された場合に表示部３８に判定中と表示させ、安定度が安定度判定手段３５により高いと判定されて当該高い安定度が所定回数継続した場合に表示部３８に安定運転状態の判定結果を表示させる。
【００５８】
この空気調和機によれば、運転状態が判定されるまでの過程、および運転状態の判定結果を表示部３８の表示により確認することができる。
【００５９】
また、本実施形態の空気調和機では、表示手段３６は、能力が低い要因となる事項を表示部３８に表示させる。
【００６０】
この空気調和機によれば、能力が低い事態を改善する策を講じることができる。
【００６１】
また、本実施形態の空気調和機では、表示手段３６は、効率が低い要因となる事項を表示部３８に表示させる。
【００６２】
この空気調和機によれば、効率が低い事態を改善する策を講じることができる。
【００６３】
また、本実施形態の空気調和機では、圧縮機４の回転数に基づいて室内機２の安定度を判定する安定度判定手段３５をさらに備え、表示手段３６は、運転判定手段３４により安定運転と判定された場合、安定度判定手段３５により判定された安定度を表示部３８に表示させる。
【００６４】
この空気調和機によれば、測定値の安定度を表示部３８の表示により確認することができる。
【００６５】
また、本実施形態の空気調和機では、室内機２における吹出部に吹出空気温度を検出する吹出温度検出器２３が設けられており、安定度判定手段３５は、圧縮機４の回転数および吹出温度検出器２３により検出する吹出空気温度に基づいて室内機２の安定度を判定する。
【００６６】
この空気調和機によれば、安定度の判定精度を向上することができる。
【００６７】
また、本実施形態の空気調和機では、表示手段３６は、安定運転での室内機２の効率を改善する提案事項を表示部３８に表示させる。
【００６８】
この空気調和機によれば、効率の改善策をオペレータに提案することができる。
【００６９】
また、本実施形態の空気調和機では、表示手段３６は、効率を改善した場合の効果を表示部３８に表示させる。
【００７０】
この空気調和機によれば、効率の改善策をオペレータに提案する場合、効率を改善した場合の効果を提示することができる。
【００７１】
また、本実施形態の空気調和機では、表示部３８が空気調和機の操作を行うリモートコントローラ１８に設けられている。
【００７２】
この空気調和機によれば、リモートコントローラ１８は、オペレータが空気調和機の操作を行う際に手で持っているものであるため、このリモートコントローラ１８に表示部３８が設けられていれば、表示を確認しやすくすることができる。
【符号の説明】
【００７３】
１  室外機
２  室内機
４  圧縮機
６  室外熱交換器
９  絞り
１５  室内熱交換器
１６  室内送風機
１８  リモートコントローラ
２３  吹出温度検出器
３１  能力算出手段
３２  効率算出手段
３３  算出結果判定手段
３４  運転判定手段
３５  安定度判定手段
３６  表示手段
３８  表示部
【図１】
0006529747.tif 000002
【図２】
0006529747.tif 000003
【図３】
0006529747.tif 000004
【図４】
0006529747.tif 000005
【図５】
0006529747.tif 000006
【図６】
0006529747.tif 000007